(57)【要約】  本発明は、複数の基地局及び１つのサーバから構成される無線セルラー通信ネットワークの第１の基地局の動作を制御する方法に関する。第１の基地局は、第１の基地局によって転送される信号の送信電力を第１の送信電力値に設定し、移動端末によって転送される所定の信号を検出し、  所定の信号が検出される場合に、  −  サーバとの通信リンクを確立し、  −  第１の基地局によって管理されるセルに隣接セルするセルを管理すると共に、第１の送信電力値よりも高い第２の送信電力で信号を転送している各第２の基地局を識別する情報を、サーバから取得し、  −  各第２の基地局と通信リンクを確立し、  −  第１の基地局によって転送される信号の送信電力を、第１の送信電力よりも高い第２の送信電力値に設定する。
2010525699.tif 000002
【特許請求の範囲】
【請求項１】
複数の基地局及び１つのサーバから構成される無線セルラー通信ネットワークの第１の基地局の動作を制御する方法であって、
該方法は、前記第１の基地局によって実行され、
−  前記第１の基地局によって管理されるセルにおいて前記第１の基地局によって転送される信号の送信電力を第１の送信電力値に設定するステップと、
−  前記無線セルラー通信ネットワークの移動端末によって転送される所定の信号を検出するステップと、
前記移動端末によって転送される所定の信号が検出される場合に、
−  前記サーバとの通信リンクを確立するステップと、
−  前記第１の基地局によって管理されるセルに隣接するセルを管理すると共に、自身が管理するセルにおいて前記第１の送信電力値よりも高い送信電力で信号を転送している各第２の基地局を識別する情報を、前記サーバから取得するステップと、
−  前記各第２の基地局と通信リンクを確立するステップと、
−  前記第１の基地局によって管理されるセルにおいて前記第１の基地局によって転送される信号の送信電力を、前記第１の送信電力よりも高い第２の送信電力値に設定するステップと
を含むことを特徴とする、複数の基地局及び１つのサーバから構成される無線セルラー通信ネットワークの第１の基地局の動作を制御する方法。
【請求項２】
前記方法は、前記第１の基地局によって管理されるセルにおいて前記第１の基地局によって転送される信号の送信電力が、前記第１の送信電力よりも高い送信電力値に設定されるときに実行される以下のステップ、
−  タイマを起動するステップと、
−  少なくとも１つの別の所定の信号が、前記無線セルラー通信ネットワークの前記移動端末又は別の移動端末によって転送されるか否かを調べるステップと
をさらに含むことを特徴とする、請求項１に記載の方法。
【請求項３】
−  前記第１の基地局を通して少なくとも１つの離れた通信デバイスと通信している移動端末の数をモニタするステップと、
−  前記第１の基地局を通して１つの離れた通信デバイスと通信している移動端末が存在しない場合に、前記タイマを起動するステップと
をさらに含むことを特徴とする、請求項２に記載の方法。
【請求項４】
−  少なくとも１つの別の所定の信号が前記無線セルラー通信ネットワークの前記移動端末若しくは別の移動端末によって転送されている場合に、又は、少なくとも１つの移動端末が前記第１の基地局を通して少なくとも１つの離れた通信デバイスと通信している場合に、前記タイマの動作を停止するステップ
をさらに含むことを特徴とする、請求項３に記載の方法。
【請求項５】
−  前記タイマが満了しているか否かを調べるステップと、
前記タイマが満了している場合に、
−  前記サーバとの前記通信リンク及び前記各第２の基地局との前記通信リンクを解放するステップと、
−  前記第１の基地局によって管理されるセルにおいて前記第１の基地局によって転送される信号の送信電力を前記第１の送信電力値に設定するステップと
をさらに含むことを特徴とする、請求項４に記載の方法。
【請求項６】
前記第１の送信電力値は０値に等しいことを特徴とする、請求項１〜５のいずれか一項に記載の方法。
【請求項７】
前記第１の基地局は、前記第１の基地局によって管理されるセルに隣接すると共により高い送信電力で信号が転送されるセルを識別する情報を含むリストを、前記第１の基地局によって管理されるセルにおいて転送することを特徴とする、請求項６に記載の方法。
【請求項８】
前記所定の信号は周期的に転送されることを特徴とする、請求項１〜７のいずれか一項に記載の方法。
【請求項９】
前記所定の信号は、無線セルラー通信システムのアップリンクメッセージを表すことを特徴とする、請求項１〜７のいずれか一項に記載の方法。
【請求項１０】
前記所定の信号は所定の署名であり、該署名は、前記移動端末から前記基地局にメッセージを送信するために用いられる周波数帯とは異なる周波数帯において変調されることを特徴とする、請求項１〜７のいずれか一項に記載の方法。
【請求項１１】
前記所定の信号は、電波又は光波によって伝搬する所定の符号化されたエネルギーパルス列であることを特徴とする、請求項１〜７のいずれか一項に記載の方法。
【請求項１２】
無線セルラー通信ネットワークの少なくとも１つの基地局によって移動端末を検出することができるようにする方法であって、
該方法は、前記移動端末によって実行され、
−  １つの基地局によって転送される信号が検出されるか否かを調べるステップと、
−  前記信号が検出されない場合に、所定の信号を転送するステップと
を含むことを特徴とする、無線セルラー通信ネットワークの少なくとも１つの基地局によって移動端末を検出することができるようにする方法。
【請求項１３】
前記所定の信号は周期的に転送されることを特徴とする、請求項１２に記載の方法。
【請求項１４】
前記所定の信号は、無線セルラー通信システムのアップリンクメッセージを表すことを特徴とする、請求項１２に記載の方法。
【請求項１５】
前記所定の信号は所定の署名であり、該署名は、前記移動端末から前記基地局にメッセージを送信するために用いられる周波数帯とは異なる周波数帯において変調されることを特徴とする、請求項１２又は１３に記載の方法。
【請求項１６】
前記所定の信号は、電波又は光波によって伝搬する所定の符号化されたエネルギーパルス列であることを特徴とする、請求項１２又は１３に記載の方法。
【請求項１７】
−  １つの前記基地局によって転送される信号が検出されるか否かを調べるステップと、
−  前記信号が検出される場合に、前記所定の信号を転送するのを中止するステップと
をさらに含むことを特徴とする、請求項１２〜１６のいずれか一項に記載の方法。
【請求項１８】
複数の基地局及び１つのサーバから構成される無線セルラー通信ネットワークの第１の基地局の動作を制御するための装置であって、
該装置は、前記第１の基地局に収容され、
−  前記第１の基地局によって管理されるセルにおいて前記第１の基地局によって転送される信号の送信電力を第１の送信電力値に設定する手段と、
−  前記無線セルラー通信ネットワークの移動端末によって転送される所定の信号を検出する手段と、
−  前記サーバとの通信リンクを確立する手段と、
−  前記第１の基地局によって管理されるセルに隣接するセルを管理すると共に、自身が管理するセルにおいて前記第１の送信電力値よりも高い送信電力で信号を転送している各第２の基地局を識別する情報を、前記サーバから入手する手段と、
−  前記各第２の基地局と通信リンクを確立する手段と、
−  前記第１の基地局によって管理されるセルにおいて前記第１の基地局によって転送される信号の送信電力を、前記第１の送信電力よりも高い第２の送信電力値に設定する手段と
を備えることを特徴とする、複数の基地局及び１つのサーバから構成される無線セルラー通信ネットワークの第１の基地局の動作を制御するための装置。
【請求項１９】
無線セルラー通信ネットワークの少なくとも１つの基地局によって移動端末を検出することができるようにするための装置であって、
該装置は、前記移動端末に収容され、
−  １つの基地局によって転送される信号が検出されるか否かを調べる手段と、
−  前記信号が検出されない場合に、所定の信号を転送する手段と
を備えることを特徴とする、無線セルラー通信ネットワークの少なくとも１つの基地局によって移動端末を検出することができるようにするための装置。
【請求項２０】
プログラム可能デバイス内に直接ロード可能なコンピュータプログラムであって、該コンピュータプログラムが前記プログラム可能デバイスにおいて実行されるときに、請求項１〜１１に記載の方法のステップを実施するための命令又はコードの一部を含む、コンピュータプログラム。
【請求項２１】
プログラム可能デバイス内に直接ロード可能なコンピュータプログラムであって、該コンピュータプログラムが前記プログラム可能デバイスにおいて実行されるときに、請求項１２〜１７に記載の方法のステップを実施するための命令又はコードの一部を含む、コンピュータプログラム。
【発明の詳細な説明】
【技術分野】
【０００１】
本発明は、無線セルラー通信ネットワークの基地局の動作を制御する方法に関する。
【背景技術】
【０００２】
従来の無線セルラー通信ネットワークは、広いエリアにおいて無線サービスのカバレッジを提供する。無線セルラー通信ネットワークのカバレッジエリアを覆うために、マクロセルが用いられる。
【０００３】
マクロセルは、およそ１０ｋｍ2のカバレッジエリアを有する。
【０００４】
各セルは１つの基地局によって制御され、基地局はそのセルに隣接するセルを制御する各基地局に接続されなければならない。
【０００５】
基地局のセットアップ時に、基地局は無線インターフェース及びネットワークインターフェースを設定する。すなわち、隣接する基地局及びサーバとの接続リンクを設定する。そして、パイロット信号等と共にブロードキャストチャネルにおいて送信を開始する。基地局によって管理されるセル内に位置する移動端末は、自身が位置するセルを現時点で管理している基地局から、別の基地局によって管理される別のセルへのハンドオーバを準備／トリガするために、これらの信号に関する測定を行うことができる。
【０００６】
１つのエリア内に多数のマクロセルが配置されるとき、各セルは異なるセル識別子に設定されなければならず、各マクロセルの無線資源は、他のマクロセルによって引き起こされる干渉を最小限に抑えるように設定されなければならない。
【０００７】
接続リンクの設定、識別子の割当て、及び干渉の問題は、従来の無線セルラー通信ネットワークにおいて検討及び解決されるべき重要な項目である。
【０００８】
無線セルラー通信ネットワークがおよそ０．１ｋｍ2の小さなカバレッジエリアを有するマイクロセルも含むとき、マクロセルに隣接するセルの数が増加する。接続リンクの数の増加、識別子の数の増加、及び干渉問題によって、引き起こされる問題が増大する。
【０００９】
上記の問題は、ピコセル又はフェムトセルになるほど重要になる。公衆陸上移動網（ＰＬＭＮ）又は無線セルラー通信ネットワークのカバレッジを、ピコセル及びフェムトセルによって拡張することが提案されている。ピコセルはおよそ数１０００ｍ2のサービスエリアを有する。一方、フェムトセルはおよそ１００ｍ2のサービスエリアを有する。マクロセル及びマイクロセルの場合のように、１つのピコセルを管理する各基地局は、そのピコセルに隣接するセルを制御する各基地局に接続されなければならない。
【００１０】
マクロセルによって広く網羅されるエリアにわたって多数のピコセルが配置されるとき、各ピコセルは異なるセル識別子に設定されなければならず、各ピコセルの無線資源は他のピコセルによって引き起こされる干渉を最小限に抑えるように設定されなければならない。無線資源はピコセルにわたって分割されなければならないので、各ピコセルが得る容量は減少する。
【００１１】
多数のピコセルが配置されるとき、マイクロセル又はマクロセルは、多数の隣接するセルに対応するように設定されなければならない。マイクロセル内の移動端末は、隣接する可能性がある全てのセルを走査しなければならない。この過程は時間が掛かると共にバッテリを消耗する。
【００１２】
従来技術によれば、ピコセルがセットアップされるとき、そのピコセルは、サーバに接続されると共に、他の隣接するセルを管理する他の基地局に接続されなければならない。多数のピコセルがセットアップされるとき、サーバ及び他の基地局は、各通信リンクにおいてトラフィック活動がない場合でも、互いの間で多数の通信リンクを維持しなければならない。これは、サーバ並びに基地局のメモリ及び処理能力を消費する。
【００１３】
マクロセル及びマイクロセルの場合に開示されたように、ピコセルがセットアップされるとき、ピコセルを管理する基地局は、移動端末にハンドオーバの準備をさせるためにパイロット信号を送信しなければならない。これは他のセルへの干渉を引き起こす。莫大な数のピコセル及びフェムトセルによって生成されるマイクロセル又はマクロセルへの干渉は深刻になり、マクロセル及びマイクロセルのダウンリンクチャネルの品質を劣化させる可能性がある。
【発明の概要】
【発明が解決しようとする課題】
【００１４】
それゆえ、本発明の目的は、過度に多くの通信リンクを設定する必要を回避することを可能にすると共に、無線セルラー通信ネットワークにおける干渉の問題が低減される方法及び装置を提案することである。
【課題を解決するための手段】
【００１５】
この目的のために、本発明は、複数の基地局及び１つのサーバから構成される無線セルラー通信ネットワークの第１の基地局の動作を制御する方法に関する。
当該方法は、第１の基地局によって実行され、
−  第１の基地局によって管理されるセルにおいて第１の基地局によって転送される信号の送信電力を第１の送信電力値に設定するステップと、
−  無線セルラー通信ネットワークの移動端末によって転送される所定の信号を検出するステップと、
移動端末によって転送される所定の信号が検出される場合に、
−  サーバとの通信リンクを確立するステップと、
−  第１の基地局によって管理されるセルに隣接するセルを管理すると共に、自身が管理するセルにおいて第１の送信電力値よりも高い送信電力で信号を転送している各第２の基地局を識別する情報を、サーバから取得するステップと、
−  各第２の基地局と通信リンクを確立するステップと、
−  第１の基地局によって管理されるセルにおいて第１の基地局によって転送される信号の送信電力を、第１の送信電力よりも高い第２の送信電力値に設定するステップと
を含むことを特徴とする。
【００１６】
また、本発明は、複数の基地局及び１つのサーバから構成される無線セルラー通信ネットワークの第１の基地局の動作を制御するための装置にも関する。
当該装置は、第１の基地局に収容され、
−  第１の基地局によって管理されるセルにおいて第１の基地局によって転送される信号の送信電力を第１の送信電力値に設定する手段と、
−  無線セルラー通信ネットワークの移動端末によって転送される所定の信号を検出する手段と、
−  サーバとの通信リンクを確立する手段と、
−  第１の基地局によって管理されるセルに隣接するセルを管理すると共に、自身が管理するセルにおいて第１の送信電力値よりも高い送信電力で信号を転送している各第２の基地局を識別する情報を、サーバから取得する手段と、
−  各第２の基地局と通信リンクを確立する手段と、
−  第１の基地局によって管理されるセルにおいて第１の基地局によって転送される信号の送信電力を、第１の送信電力よりも高い第２の送信電力値に設定する手段と
を備えることを特徴とする。
【００１７】
したがって、移動端末によって生成される信号が検出されないときには、第１の基地局によって管理されるセルにおいて第１の基地局によって転送される信号の送信電力は、第１の送信電力値に設定される。この送信電力値は、移動端末によって生成される信号が検出されるときに設定される送信電力値よりも低いので、第１の基地局によって他の基地局のセル内に位置する移動端末に対して引き起こされる干渉は、かなりの程度まで低減される。
【００１８】
さらに、移動端末によって生成される信号が検出されるときにのみ通信リンクが確立されるので、基地局間、及び基地局と無線セルラー通信ネットワークのサーバとの間の通信リンクの数が低減される。
【００１９】
したがって、移動端末が所定の信号を検出している基地局に接近するとき、この移動端末は基地局を起動してその基地局を介して通信することができる。その際、そのような移動端末のために、無線セルラーシステムのカバレッジが拡大される。
【００２０】
さらに、別の基地局を通して離れた通信デバイスとの通信に関与している移動端末が、所定の信号を検出している基地局の近くにいるとき、この移動端末はその基地局によって転送される信号を検出することができる。そして、ハンドオーバをトリガしてその基地局を通して通信を継続することができ、通信の品質は高められる。
【００２１】
特定の特徴によれば、第１の基地局によって管理されるセルにおいて第１の基地局によって転送される信号の送信電力が、第１の送信電力よりも高い送信電力値に設定されるときに、第１の基地局は、
−  タイマを起動し、
−  少なくとも１つの別の所定の信号が、無線セルラー通信ネットワークの上記移動端末又は別の移動端末によって転送されるか否かを調べる。
【００２２】
特定の特徴によれば、第１の基地局は、第１の基地局を通して少なくとも１つの離れた通信デバイスと通信している移動端末の数をモニタし、第１の基地局を通して離れた通信デバイスと通信している移動端末が１つも存在しない場合に、タイマを起動する。
【００２３】
したがって、第１の基地局は、第１の基地局の通信資源を現時点で使用している移動端末の数を知っている。
【００２４】
特定の特徴によれば、第１の基地局は、少なくとも１つの別の所定の信号が無線セルラー通信ネットワークの上記移動端末若しくは別の移動端末によって転送されている場合に、又は、少なくとも１つの移動端末が第１の基地局を通して少なくとも１つの離れた通信デバイスと通信している場合に、タイマの動作を停止する。
【００２５】
特定の特徴によれば、第１の基地局は、タイマが満了しているか否かを調べ、タイマが満了している場合に、サーバとの通信リンク及び各第２の基地局との通信リンクを解放し、第１の基地局によって管理されるセルにおいて第１の基地局によって転送される信号の送信電力を第１の送信電力値に設定する。
【００２６】
したがって、移動端末によって生成される信号が検出されないときには、第１の基地局によって管理されるセルにおいて第１の基地局によって転送される信号の送信電力は、第１の送信電力値に設定される。そのため、この基地局によって他の基地局のセル内に位置する移動端末に対して引き起こされる干渉は、かなりの程度まで低減される。
【００２７】
さらに、移動端末によって生成される信号が検出されないときには通信リンクが解放されるので、基地局間、及び基地局と無線セルラー通信ネットワークのサーバとの間の通信リンクの数が低減される。
【００２８】
したがって、タイマは通信リンクの解放をトリガする際に待ち時間をもたらすので、基地局間、及び基地局とサーバとの間の通信リンクを設定及び解放するための手順の数は最小限に抑えられる。
【００２９】
特定の特徴によれば、第１の送信電力値は０値に等しい。
【００３０】
したがって、干渉が低減される。
【００３１】
特定の特徴によれば、第１の基地局は、第１の基地局によって管理されるセルに隣接すると共により高い送信電力で信号が転送される各セルを識別する情報を含むリストを、第１の基地局によって管理されるセルにおいて転送する。
【００３２】
したがって、第１の基地局によって管理されるセルに含まれる移動端末は、信号が転送されるセルだけを知っている。その移動端末は、多数の第２の通信デバイスによって使用される周波数を走査する必要はない。
【００３３】
また、本発明は、無線セルラー通信ネットワークの少なくとも１つの基地局によって移動端末を検出することができるようにする方法にも関する。
当該方法は、移動端末によって実行され、
−  １つの基地局によって転送される信号が検出されるか否かを調べるステップと、
−  信号が検出されない場合に、所定の信号を転送するステップと
を含むことを特徴とする。
【００３４】
また、本発明は、無線セルラー通信ネットワークの少なくとも１つの基地局によって移動端末を検出することができるようにするための装置にも関する。
当該装置は、移動端末に収容され、
−  １つの基地局によって転送される信号が検出されるか否かを調べる手段と、
−  信号が検出されない場合に、所定の信号を転送する手段と
を備えることを特徴とする。
【００３５】
したがって、移動端末は、所定の情報を検出しやすい任意の基地局に対してその存在を通知する。移動端末は、もはやいずれの基地局によってもカバーされていないときに、周囲の基地局を起動することができる。
【００３６】
特定の特徴によれば、所定の信号は、周期的に転送される信号又はメッセージである。
【００３７】
したがって、基地局は、所定の信号を検出する機会を何度も続けて有する。移動端末は、周囲の基地局を起動する機会を何度も有する。
【００３８】
特定の特徴によれば、所定の信号は、無線セルラー通信システムのアップリンクメッセージを表す。
【００３９】
したがって、基地局は、アイドルモードにある移動端末を検出しなくてもよい。基地局は、稼動モードにあって実際にデータを送信している移動端末の存在を検出したときにのみ起動する。基地局の使用率は最小限に抑えられる。この結果として、無線セルラー通信システムに対して引き起こされる干渉が少なくなり、基地局の構成要素の寿命が長くなる。基地局は、移動端末によって送信されるデータを中継することを要求されているときにのみ自身を起動する。
【００４０】
特定の特徴によれば、所定の信号は所定の署名であり、当該署名は、移動端末から基地局にメッセージを送信するために用いられる周波数帯とは異なる周波数帯において変調される。
【００４１】
したがって、所定の信号は、無線セルラー通信システムのアップリンクメッセージと干渉しない。所定の秘密署名を用いることによって、基地局の起動を所定の秘密署名を共有する無線セルラー通信システムの一部の限られた移動端末に制限することができる。
【００４２】
特定の特徴によれば、所定の信号は、電波又は光波によって伝搬する所定の符号化されたエネルギーパルス列である。
【００４３】
したがって、所定の信号は、悪意のある第三者によって傍受され難く、所定の信号は、秘密にしておくことができ、所定の秘密署名を共有する無線セルラー通信システムの一部の限られた移動端末に制限しておくことができる。
【００４４】
さらに、所定の信号を送信するための消費電力が制限される。
【００４５】
特定の特徴によれば、移動端末は、
−  １つの基地局によって転送される信号が検出されるか否かを調べ、
−  上記信号が検出される場合に、所定の信号を転送するのを中止する。
【００４６】
したがって、移動端末は、自身の電力資源を節約することができる。
【００４７】
さらに別の態様によれば、本発明は、別のプログラム可能デバイス内に直接ロード可能であるコンピュータプログラムであって、当該コンピュータプログラムがプログラム可能デバイスにおいて実行されるときに、本発明による方法のステップを実施するための命令又はコードの一部を含む、コンピュータプログラムに関する。
【００４８】
コンピュータプログラムに関連する特徴及び利点は、本発明による方法及び装置に関連して上記で詳述されたのと同じであるので、ここでは繰り返さない。
【００４９】
本発明の特性は、一例の実施形態に関する以下の説明を読むことから、さらに明らかになり、当該説明は添付の図面を参照して行われる。
【図面の簡単な説明】
【００５０】
【図１】本発明によるセルラー通信ネットワークのアーキテクチャを表す図である。
【図２】本発明による基地局のブロック図である。
【図３】本発明による移動端末装置のブロック図である。
【図４ａ】本発明による基地局によって実行されるアルゴリズムを示す。
【図４ｂ】本発明による基地局によって実行されるアルゴリズムを示す。
【図５】本発明による移動端末によって実行されるアルゴリズムを示す。
【発明を実施するための形態】
【００５１】
図１は、本発明によるセルラー通信ネットワークのアーキテクチャを表す図である。
【００５２】
このセルラー通信ネットワークでは、サーバ１０は、通信ネットワークを通して複数の基地局ＢＳ１〜ＢＳ５に接続することができる。この通信ネットワークは、専用の有線ネットワークであるか、公衆交換網のような公衆網であるか、ＩＰベースネットワークであるか、無線ネットワークであるか、非同期転送モードネットワークであるか、又は上記のネットワークの組合せである。
【００５３】
この通信ネットワークによって、基地局ＢＳ１〜ＢＳ５は必要に応じて互いに接続することができる。また、本発明に従って、基地局ＢＳ１〜ＢＳ５間で、又は基地局ＢＳ１〜ＢＳ５とサーバ１０との間で、メッセージ及び情報を転送することができる。
【００５４】
各基地局ＢＳ１〜ＢＳ５は、信号若しくはメッセージを少なくとも１つの無線エリア１５を通して転送及び／又は受信することができる。そのような無線エリア１５は、これ以降、基地局ＢＳによって管理されるセル１５と呼ばれる。セル１５は、マクロセル、及び／又はマイクロセル、及び／又はピコセル、及び／又はフェムトセルである。
【００５５】
図１の例によれば、基地局ＢＳ１はセル１５1を管理し、基地局ＢＳ２はセル１５2を管理し、基地局ＢＳ３はセル１５3を管理し、基地局ＢＳ４はセル１５4を管理し、基地局ＢＳ５はセル１５5を管理する。
【００５６】
サーバ１０は、セルラー通信ネットワークの基地局ＢＳ１〜ＢＳ５に関連する情報を格納する。サーバ１０は、基地局ＢＳ１〜ＢＳ５毎に、その基地局ＢＳによって管理されるセル１５に隣接するセル１５を管理する基地局ＢＳを表す情報を格納する。サーバ１０は、現時点で稼動している基地局ＢＳ、すなわち各セル１５において信号を転送する基地局ＢＳのリストを保持する。サーバ１０は、基地局ＢＳ４及びＢＳ５のような稼動していない基地局ＢＳのその他のパラメータも保持する。その他のパラメータは、ＩＰアドレス、ＴＣＰポート又はＳＣＴＰポート、暗号鍵等の接続及びセキュリティ情報を含み、この情報によって、稼動していない基地局が稼動状態になるときに、その稼動していない基地局ＢＳとサーバ１０との間で迅速にリンクをセットアップすることができるようになる。
【００５７】
図１では、ただ１つのサーバ１０が示されているが、本発明においては、さらに多くの数のサーバ１０を用いることができることを理解されたい。
【００５８】
同様に、５つの基地局ＢＳ１〜ＢＳ５と、それぞれのセル１５1〜１５5だけが示されているが、本発明においては、さらに多くの数の基地局ＢＳ及びセル１５を用いることができることを理解されたい。
【００５９】
現在３ＧＰＰにおいて検討中であるロング・ターム・エボリューション（ＬＴＥ）ネットワークでは、サーバ１０は移動管理エンティティ（ＭＭＥ）と呼ばれる。汎用パケット無線サービスネットワークでは、サーバ１０はサービングＧＰＲＳサポートノード（ＳＧＳＮ）と呼ばれる。移動ＩＰネットワークでは、サーバ１０は外部エージェント（ＦＡ）と呼ばれる。ＧＳＭネットワークでは、サーバ１０はビジターロケーションレジスタ（ＶＬＲ）と呼ばれる。
【００６０】
図１には、１台の移動端末ＭＴが示されている。移動端末ＭＴは、基地局ＢＳ２のセル１５2内に位置しており、基地局ＢＳ１のセル１５1内に移動しつつある。
【００６１】
図１には、１台の移動端末ＭＴしか示されていないが、無線セルラー通信ネットワーク内にはさらに多くの数の移動端末ＭＴが存在することを理解されたい。
【００６２】
移動端末ＭＴがセル１５内に位置するとき、移動端末ＭＴは、自身が位置するセル１５を管理する基地局ＢＳを通して通信を確立するか、受信するか、継続するか、または、呼出通知メッセージを受信することができる。
【００６３】
サーバ１０は、無線セルラー通信ネットワーク内の移動端末ＭＴの位置を追跡する役割を担い、移動端末ＭＴが位置するものと予測される少なくとも１つのセル１５を制御する基地局ＢＳに対して呼出通知をルーティングできるようにする。移動端末ＭＴが位置するものと予測されるセルのグループは、トラッキングエリアと呼ばれる。そのような呼出通知は種々の場合に生じることがあるが、主にネットワークから移動端末ＭＴに対して着呼がルーティングされなければならないときに生じる。その際、基地局ＢＳは、移動端末ＭＴが受信することができる呼出メッセージを、無線を介して送信することができる。移動端末ＭＴが呼出メッセージを受信すると、移動端末ＭＴは起動して着呼するためにシグナリングをトリガすることができる。
【００６４】
各基地局ＢＳは、他のセル１５を識別する情報を含むモニタ用リストを自身が管理する各セル１５内に転送する。移動端末ＭＴは、これらのセル１５において転送される信号をモニタし、移動端末ＭＴが位置するセル１５を管理する基地局ＢＳに対して測定報告を送信する。
【００６５】
例えば、移動端末ＭＴが図１には示されない離れた通信デバイスと基地局ＢＳを通して通信しているとき、その基地局ＢＳ又はサーバ１０は、測定報告に従って通信のハンドオーバ手順に進む決定を下すことができる。すなわち、別の基地局ＢＳを通して通信を継続できるようにする。
【００６６】
図１において、基地局ＢＳ２及びＢＳ３は、２５2及び２５3で示される通信リンクを通してサーバ１０にリンクされている。
【００６７】
本発明によれば、基地局ＢＳが移動端末ＭＴによって転送される信号を一切検出しないとき、又は基地局ＢＳによって検出される信号の電力レベルが所定の値未満のとき、基地局ＢＳは非稼動モードに入り、ダウンリンクチャネルにおいて送信される信号の送信電力を第１の所定の値まで低減する。基地局ＢＳが移動端末ＭＴによって転送される信号を検出すると、又は基地局ＢＳによって検出される信号の電力レベルが所定の値よりも高いとき、基地局ＢＳは、ダウンリンクチャネルにおいて送信される信号の送信電力を第２の所定の値まで増加させる。
【００６８】
本発明の第１の実現形態では、基地局ＢＳによって検出される１つ又は複数の信号は、一例として、無線セルラー通信システムのアップリンクチャネルを通して受信される。その１つ又は複数の信号は、一例として、移動端末ＭＴが別の基地局ＢＳを通して離れた通信デバイスと通信しているときに、その移動端末ＭＴによって転送されるメッセージを表す。そのようなメッセージは、無線セルラー通信ネットワークのアップリンクチャネルを通して転送され、アップリンクメッセージとして知られている。基地局ＢＳが信号を転送するとき、これらの信号は無線セルラー通信ネットワークのダウンリンクチャネルにおいて転送される。
【００６９】
本発明の第２の実現形態では、基地局ＢＳによって検出される信号は、所定の署名を有する無線信号のような所定の信号であり、これは移動端末ＭＴ及び基地局ＢＳによって予め知られている、署名は、一例として、無線セルラー通信システムのアップリンクチャネルのために用いられる周波数帯とは異なる周波数帯において変調される。
【００７０】
本発明の第３の実現形態では、基地局ＢＳによって受信される信号は、超広帯域電波（ＵＷＢ）又は赤外線光波のような電波又は光波のいずれかによって伝搬する所定の符号化されたエネルギーパルス列から構成される信号である。
【００７１】
基地局ＢＳ１が移動端末ＭＴによって転送された信号を検出すると、基地局ＢＳ１は、基地局ＢＳ１とサーバ１０との間に図１において２５1で示される通信リンクを確立し、基地局ＢＳ１のセル１５1に隣接するセル１５を管理する稼動中の基地局ＢＳ２及びＢＳ３のリストをサーバ１０から取得する。そして、基地局ＢＳ１と、基地局ＢＳ２及びＢＳ３との間に、図１において３５2及び３５3で示される通信リンクを確立する。
【００７２】
図２は、本発明による基地局装置のブロック図である。
【００７３】
各基地局ＢＳは、例えば、バス２０１によって互いに接続される構成要素、並びに図４ａ及び図４ｂにおいて開示されるようなプログラムによって制御されるプロセッサ２００に基づくアーキテクチャを有する。
【００７４】
バス２０１は、プロセッサ２００を、読出し専用メモリＲＯＭ２０２、ランダムアクセスメモリＲＡＭ２０３、ネットワークインターフェース２０４、無線インターフェース２０６、及び無線受信機２０７に接続する。
【００７５】
メモリ２０３はレジスタを含み、このレジスタは、変数、基地局ＢＳによって管理されるセル１５に隣接するとして知られているようなセル１５を識別する情報、隣接するセル１５を管理する基地局ＢＳの識別子、隣接するセルを管理する基地局ＢＳとの通信リンク毎の接続及びセキュリティ情報、並びに、図４ａ及び図４ｂにおいて開示されるようなアルゴリズムに関連するプログラムの命令を受け取るように意図されている。
【００７６】
プロセッサ２００は、ネットワークインターフェース２０４、無線インターフェース２０６、及び無線受信機２０７の動作を制御する。
【００７７】
読出し専用メモリ２０２は、図４ａ及び図４ｂにおいて開示されるようなアルゴリズムに関連するプログラムの命令を含み、それらの命令は基地局ＢＳの電源が投入されたときにランダムアクセスメモリ２０３に転送される。
【００７８】
基地局ＢＳは、ネットワークインターフェース２０４を通して通信ネットワークに接続される。一例として、ネットワークインターフェース２０４は、ＤＳＬ（デジタル加入者線）モデム、又はＩＳＤＮ（統合サービスデジタル網）インターフェース等である。そのようなインターフェースを通して、基地局ＢＳは無線セルラー通信ネットワークのサーバ１０及び他の基地局ＢＳと情報を交換する。基地局ＢＳによって管理される各セル１５内に含まれる移動端末ＭＴによって確立又は受信される通信は、ネットワークインターフェース２０４及び無線インターフェース２０６を経由する。
【００７９】
ネットワークインターフェース２０４は、基地局ＢＳとサーバ１０との間の通信リンクを確立及び解放する手段と、基地局ＢＳと他の基地局ＢＳとの間の通信リンクを確立及び解放する手段とを備える。これらの、通信リンクを確立及び解放する手段は、互いに異なるか又は共通である。
【００８０】
無線インターフェース２０６を通して、基地局ＢＳは、セル１５を識別する情報のモニタ用リストを転送し、移動端末ＭＴから測定報告を受信する。
【００８１】
無線インターフェース２０６は、ダウンリンクチャネルにおいて転送される信号の送信電力を第１の所定の値まで低減する手段と、ダウンリンクチャネルにおいて転送される信号の送信電力を第２の所定の値まで増加させる手段とを備える。
【００８２】
無線受信機２０７は、少なくとも１つの移動端末ＭＴによって転送される信号を検出する手段を備える。
【００８３】
本発明の第１の実現形態では、少なくとも１つの移動端末ＭＴによって転送される信号は、アップリンクチャネルを通して転送されるメッセージを表す信号であるので、無線受信機２０７は無線インターフェース２０６の一部である。
【００８４】
本発明の第２の実現形態では、無線受信機２０７は、所定の署名のような所定の情報を検出する手段を備えており、この情報は無線セルラー通信システムのアップリンクチャネルのために用いられる周波数帯とは異なる周波数帯において変調される。一例であって決して限定はしないが、所定の署名は、ブルートゥース、ＷｉＦｉ、ＷｉＭＡＸ、又はＺｉｇＢｅｅ信号によって搬送される。
【００８５】
本発明の第３の実現形態では、無線受信機２０７は、電波、光波のいずれかによって伝搬する所定の符号化されたエネルギーパルス列のような所定の情報を検出する手段を備える。一例であって決して限定はしないが、所定の符号化されたエネルギーパルス列は、赤外線（ＩｒＤａ）光信号、又は超広帯域（ＵＷＢ）無線信号である。
【００８６】
図３は、本発明による移動端末装置のブロック図である。
【００８７】
各移動端末ＭＴは、例えば、バス３０１によって互いに接続される構成要素、並びに図５において開示されるようなプログラムによって制御されるプロセッサ３００に基づくアーキテクチャを有する。
【００８８】
バス３０１は、プロセッサ３００を、読出し専用メモリＲＯＭ３０２、ランダムアクセスメモリＲＡＭ３０３、マンマシンインターフェース３０４、無線インターフェース３０６、及び無線送信機３０７にリンクする。
【００８９】
メモリ３０３はレジスタを含み、このレジスタは、変数、及び図５において開示されるようなアルゴリズムに関連するプログラムの命令を受け取るように意図されている。
【００９０】
プロセッサ３００は、マンマシンインターフェース３０４、無線インターフェース３０６、及び無線送信機３０７の動作を制御する。
【００９１】
読出し専用メモリ３０２は、図５において開示されるようなアルゴリズムに関連するプログラムの命令を含み、それらの命令は移動端末ＭＴの電源が投入されたときに、ランダムアクセスメモリ５０３に転送される。
【００９２】
無線インターフェース３０６は、ダウンリンクチャネルを通して基地局ＢＳによって転送される信号を検出、測定、及び受信する手段と、無線セルラー通信システムのアップリンクチャネルを通して信号又はメッセージを送信する手段とを備える。
【００９３】
無線送信機３０７は、信号を転送する手段を備える。
【００９４】
本発明の第１の実現形態では、移動端末ＭＴによって転送される信号は、アップリンクチャネルを通して転送されるメッセージを表す信号であるので、無線送信機３０７は無線インターフェース３０６の一部である。
【００９５】
本発明の第２の実現形態では、無線送信機３０７は、所定の署名のような所定の信号を生成する手段を備えており、この信号は無線セルラー通信システムのアップリンクチャネルのために用いられる周波数帯とは異なる周波数帯において変調される。一例であって決して限定はしないが、所定の署名は、ブルートゥース、ＷｉＦｉ、ＷｉＭＡＸ、又はＺｉｇＢｅｅ信号によって搬送される。
【００９６】
本発明の第３の実現形態では、無線送信機３０７は、電波、光波のいずれかによって伝搬する所定の符号化されたエネルギーパルス列のような所定の信号を生成する手段を備える。一例であって決して限定はしないが、所定の符号化されたエネルギーパルス列は、赤外線（ＩｒＤａ）光信号、又は超広帯域（ＵＷＢ）無線信号である。
【００９７】
図４ａ及び図４ｂは、本発明による基地局によって実行されるアルゴリズムを示す。
【００９８】
より正確には、本アルゴリズムは、基地局ＢＳのプロセッサ２００によって実行される。一例として、本アルゴリズムは、基地局ＢＳ１のプロセッサ２００によって実行されるものとして開示される。
【００９９】
ステップ４００において、基地局ＢＳ１のプロセッサ２００は、少なくとも１つの移動端末ＭＴによって転送される所定の信号を、無線受信機２０７が検出したか否かを調べる。
【０１００】
少なくとも１つの移動端末によって転送される所定の信号は、所定の持続時間にわたって平均化されるか又は平均化されない受信信号の電力が、所定の閾値よりも高いときに検出される。
【０１０１】
所定の信号は、移動端末ＭＴの存在を示す所定の信号か、又は、移動端末ＭＴが別の基地局ＢＳを通して離れた通信デバイスと通信しているときにアップリンクチャネルにおいて移動端末ＭＴによって転送される従来のメッセージを表す信号である。
【０１０２】
移動端末ＭＴによって転送される所定の信号が検出されない場合には、プロセッサ２００はステップＳ４００に戻り、移動端末ＭＴによって転送される所定の信号が検出されるのを待つ。
【０１０３】
次のステップＳ４０１において、プロセッサ２００は、ＲＡＭメモリ２０３から接続パラメータ及びセキュリティパラメータを読み出し、ネットワークインターフェース２０４に対して、読み出されたパラメータでサーバ１０との通信リンクを確立するように命令する。この通信リンクは、図１において２５1で示される。
【０１０４】
次のステップＳ４０２において、プロセッサ２００は、それに応答して、セル１５1に隣接するセルを管理すると共に、自身が管理している各セル１５に対して現時点において第２の送信電力値又は第２の送信電力値と概ね同じ送信電力値で信号を転送している基地局ＢＳを識別する情報を含むリストを受信する。
【０１０５】
図１の例によれば、このリストは、基地局ＢＳ２及びＢＳ３を識別する情報を含む。基地局ＢＳ４及びＢＳ５はサーバ１０にリンクしておらず、管理している各セル１５4及び１５5に対して第１の送信電力値又は概ね第１の送信電力値で信号又はメッセージを転送している。そのため、このリストは基地局ＢＳ４及びＢＳ５の識別子を含まない。
【０１０６】
本発明の１つの実施態様では、このステップにおいて、プロセッサ２００は、受信したリストにおいて識別される基地局ＢＳとの通信リンク毎の接続パラメータ及びセキュリティパラメータも受信し、その接続パラメータ及びセキュリティパラメータをＲＡＭメモリ２０３に格納する。本発明の別の実施態様では、これらのパラメータは、ステップＳ４００の前にＲＡＭメモリ２０３に格納される。
【０１０７】
次のステップＳ４０３において、プロセッサ２００は、ＲＡＭメモリ２０３から接続パラメータ及びセキュリティパラメータを読み出す。そして、ネットワークインターフェース２０４に対して、受信したリストにおいて識別される基地局ＢＳとの通信リンクを対応するパラメータを用いて確立するように命令する。図１において３５2で示される通信リンクが基地局ＢＳ１とＢＳ２との間に確立され、図１において３５3で示される通信リンクが基地局ＢＳ１とＢＳ３との間に確立される。
【０１０８】
そのような通信リンクを通して、基地局ＢＳ２及びＢＳ３は、自身が管理しているセル１５を識別する情報及び／又はハンドオーバ命令メッセージを転送する。
【０１０９】
次のステップＳ４０４において、プロセッサ２００は、無線インターフェース２０６に対して、ダウンリンクチャネルにおいて転送される信号の送信電力を第２の所定の値まで増加させる手段を起動するように命令する。
【０１１０】
信号の送信電力の増加は徐々に又は瞬時に行われ、第２の所定の値はダウンリンクチャネルにおいて転送される信号の名目的な送信電力であり、一例として約１ミリワットである。
【０１１１】
次のステップＳ４０５において、プロセッサ２００はタイマを起動する。
【０１１２】
次のステップＳ４０６において、プロセッサ２００は可変カウンタを０値に設定する。
【０１１３】
次のステップＳ４０７において、プロセッサ２００は、ステップＳ４０５において起動されたタイマが満了したか否かを調べる。
【０１１４】
タイマが満了している場合には、プロセッサ２００はステップＳ４０８に進む。そうでない場合には、プロセッサ２００はステップＳ４１１に進む。
【０１１５】
ステップＳ４１１において、プロセッサ２００は、無線受信機２０７が少なくとも１つの移動端末ＭＴによって転送される（ステップＳ４００において開示されたような）所定の信号を検出したか否かを調べる。
【０１１６】
無線受信機２０７が少なくとも１つの移動端末ＭＴによって転送される所定の信号を検出していない場合には、プロセッサ２００はステップＳ４１３に進む。無線受信機２０７が少なくとも１つの移動端末ＭＴによって転送される所定の信号を検出している場合には、プロセッサ２００はステップＳ４１２に進む。
【０１１７】
ステップＳ４１２において、プロセッサ２００は、ステップＳ４０６において起動されたタイマを停止する。
【０１１８】
次のステップＳ４１３において、プロセッサ２００は、無線インターフェース２０６又はネットワークインターフェース２０４を通して、メッセージが受信されるか否かを調べる。
【０１１９】
メッセージが受信される場合には、プロセッサ２００は図４ｂのステップＳ４２７に進む。そうでない場合には、プロセッサ２００は、既に説明されているステップＳ４０７に戻る。
【０１２０】
ステップＳ４０８において、プロセッサ２００は、無線インターフェースに対して、ダウンリンクチャネルにおける信号の送信電力を第１の所定の値まで低減するように命令する。
【０１２１】
信号の送信電力の減少は徐々に又は瞬時に行われ、第１の所定の値は、０値に等しいか又はダウンリンクチャネルにおいて転送される信号の第２の送信電力の５０％以下である。
【０１２２】
次のステップＳ４０９において、プロセッサ２００は、ネットワークインターフェース２０４に対して、サーバ１０との通信リンク２５1を解放するように命令する。通信リンク２５1のために用いられる接続パラメータ及びセキュリティパラメータは、ＲＡＭメモリ２０３内に保持される。
【０１２３】
次のステップＳ４１０において、プロセッサ２００は、ネットワークインターフェース２０４に対して、基地局ＢＳ１とＢＳ２との間に確立された通信リンク３５2、及び基地局ＢＳ１とＢＳ３との間に確立された通信リンク３５3を解放するように命令する。通信リンク３５2及び３５3のために用いられる接続パラメータ及びセキュリティパラメータは、ＲＡＭメモリ２０３内に保持されることが好ましい。
【０１２４】
その後、プロセッサ２００はステップＳ４００に戻る。
【０１２５】
ステップＳ４２７において、プロセッサ２００は、ステップＳ４１３において受信したメッセージが、別の基地局ＢＳから受信されるハンドオーバ命令メッセージであるか否かを調べる。
【０１２６】
受信したメッセージが別の基地局ＢＳから受信されるハンドオーバ命令メッセージである場合には、プロセッサ２００はステップＳ４２８に進む。そうでない場合には、プロセッサ２００はステップＳ４３１に進む。
【０１２７】
ステップＳ４２８において、プロセッサ２００はハンドオーバに進む、すなわち、基地局ＢＳ１を通して移動端末ＭＴの通信を継続することができるようにする。
【０１２８】
次のステップＳ４２８において、プロセッサ２００は、可変カウンタをインクリメントする。
【０１２９】
次のステップＳ４３０において、プロセッサ２００は、ステップＳ４０６において起動されたタイマを停止し、ステップＳ４１３に戻る。
【０１３０】
ステップＳ４３１において、プロセッサ２００は、ステップＳ４１３において受信したメッセージが、移動端末ＭＴが呼出通知を受信するのに応答して、移動端末ＭＴによって転送される肯定応答メッセージのような呼確立命令であるか、又は移動端末ＭＴによって転送される呼確立メッセージであるかを調べる。
【０１３１】
受信したメッセージが呼確立命令である場合には、プロセッサ２００はステップＳ４３２に進む。そうでない場合には、プロセッサ２００はステップＳ４３５に進む。
【０１３２】
ステップＳ４３２において、プロセッサ２００は呼確立に進む。基地局ＢＳ１の無線インターフェース２０６及びネットワークインターフェース２０４を通して、新たな通信が転送される。
【０１３３】
次のステップＳ４３３において、プロセッサ２００は、可変カウンタをインクリメントする。
【０１３４】
次のステップＳ４３４において、プロセッサ２００は、ステップＳ４０５又はＳ４４０において起動されたタイマを停止し、ステップＳ４１３に戻る。
【０１３５】
ステップＳ４３５において、プロセッサ２００は、ステップＳ４１３において受信したメッセージが、無線インターフェース２０６を通して受信された測定報告メッセージであるか否かを調べる。
【０１３６】
各基地局ＢＳは、自身が管理する各セル１５に、他のセル１５を識別する情報を含むモニタ用リストを転送する。移動端末ＭＴは、セル１５において転送される信号をモニタし、自身が位置するセル１５を管理する基地局ＢＳに測定報告を送信する。
【０１３７】
受信したメッセージが測定報告メッセージである場合には、プロセッサ２００はステップＳ４３６に進む。そうでない場合には、プロセッサ２００はステップＳ４４１に進む。
【０１３８】
ステップＳ４３６において、プロセッサ２００は、その移動端末ＭＴにハンドオーバが必要とされるか否かを調べる。すなわち、その測定報告が、基地局ＢＳ１によって送出されて移動端末ＭＴによって受信される電力レベルよりも高い受信電力レベルにおいて移動端末ＭＴによって受信される信号を送出する別の基地局ＢＳを通して、その移動端末ＭＴが進行中の通信を継続すべきであることを指示するか否かを調べる。
【０１３９】
ハンドオーバが必要とされる場合には、プロセッサ２００はステップＳ４３７に進む。そうでない場合には、プロセッサ２００はステップＳ４４１に進む。
【０１４０】
ステップＳ４３７において、プロセッサ２００はハンドオーバに進む。すなわち、他の基地局ＢＳにハンドオーバ命令メッセージを送信し、他の基地局ＢＳを通して移動端末ＭＴの通信を継続することができるようにする。
【０１４１】
次のステップＳ４３８において、プロセッサ２００は、可変カウンタをデクリメントする。
【０１４２】
次のステップＳ４３９において、プロセッサ２００は、可変カウンタが０値に等しいか否かを調べる。
【０１４３】
可変カウンタが０値に等しい場合には、プロセッサ２００はステップＳ４１３に進む。そうでない場合には、プロセッサ２００はステップＳ４４０に進む。
【０１４４】
ステップＳ４４０において、プロセッサ２００はタイマを起動し、図４ａのステップＳ４０７に戻る。
【０１４５】
ステップＳ４４１において、プロセッサ２００は、受信したメッセージが、進行中の通信が解放されることを通知するメッセージであるか否かを調べる。
【０１４６】
受信したメッセージが進行中の通信が解放されることを通知するメッセージである場合には、プロセッサ２００はステップＳ４４２に進む。そうでない場合には、プロセッサ２００はステップＳ４４４に進む。
【０１４７】
ステップＳ４４２において、プロセッサ２００は、進行中の通信のために用いられている資源の解放に進む。
【０１４８】
次のステップＳ４４３において、プロセッサ２００は、可変カウンタをデクリメントし、既に説明されているステップＳ４３９に進む。
【０１４９】
ステップＳ４４４において、プロセッサ２００は、ステップＳ４１３において受信したメッセージが、管理している各セル１５内に信号又はメッセージを現在転送している隣接する基地局ＢＳを識別する情報を含むリストの更新を表すメッセージであるか否かを調べる。
【０１５０】
そのメッセージは、一例として、２つの基地局ＢＳ間に確立されるリンクの解放を指示するメッセージであるか、又は、２つの基地局ＢＳ間に確立されるリンクの確立を指示するメッセージである。
【０１５１】
受信したメッセージが、リストの更新を表すメッセージである場合には、プロセッサ２００はステップＳ４４５に進む。そうでない場合には、プロセッサ２００はステップＳ４１３に戻る。
【０１５２】
ステップＳ４４５において、プロセッサ２００は、管理している各セル１５内に信号又はメッセージを現在転送している隣接する基地局ＢＳを識別する情報を含むリストを変更する。
【０１５３】
次のステップＳ４４６において、プロセッサ２００は、他のセル１５を識別する情報を含むモニタ用リストを変更し、ステップＳ４１３に戻る。
【０１５４】
図５は、本発明による移動端末によって実行されるアルゴリズムを示す。
【０１５５】
より正確には、本アルゴリズムは、移動端末ＭＴのプロセッサ３００によって実行される。
【０１５６】
ステップＳ５００において、移動端末ＭＴはアイドルモードにあり、プロセッサ３００は、無線インターフェース３０６に対してセル再選択手順を命令する。セル再選択手順は、少なくとも１つの周波数帯内へ転送される少なくとも１つのセル１５を識別する信号を検出するために、少なくとも１つの周波数帯を走査することから成る。このステップにおいて、プロセッサ３００は、移動端末ＭＴをカバーする検出される信号電力が最も強いことによって識別されるセルのような、最良のセル１５を識別する。
【０１５７】
次のステップＳ５０１において、プロセッサ３００は、移動端末ＭＴがセルラー無線通信ネットワークのアクセス範囲外にあるか否かを調べる。基地局ＢＳによって転送される信号が１つも検出されないときに、移動端末ＭＴは無線セルラー通信ネットワークのアクセス範囲外にある。その信号は、一例であって限定はしないが、無線セルラー通信ネットワークのセル１５を識別する信号である。限定はしないが、セル１５を識別する信号は、信号の受信電力が所定の閾値未満であるときには検出されないことが好ましい。
【０１５８】
ステップＳ５０１において、移動端末ＭＴがアクセス範囲外にある場合には、プロセッサ３００はステップＳ５０２に進む。ステップＳ５０１において、移動端末ＭＴがアクセス範囲外でない場合には、プロセッサ３００はステップＳ５０３に進む。
【０１５９】
ステップＳ５０２において、プロセッサ３００は、無線送信機３０７に対して所定の信号の転送を開始するように命令する。
【０１６０】
限定はしないが、所定の信号は周期的に転送されることが好ましい。
【０１６１】
本発明の第１の実現形態では、少なくとも１つの移動端末ＭＴによって転送される所定の信号は、アップリンクチャネルを通して転送される信号である。
【０１６２】
本発明の第２の実現形態では、所定の信号は所定の署名である。この署名は、無線セルラー通信システムのアップリンクチャネルのために用いられる周波数帯とは異なる周波数帯において変調される。一例であって決して限定はしないが、所定の署名は、ブルートゥース、ＷｉＦｉ、ＷｉＭＡＸ、又はＺｉｇＢｅｅ信号によって搬送される。
【０１６３】
本発明の第３の実現形態では、所定の信号は、電波、光波のいずれかによって伝搬する所定の符号化されたエネルギーパルス列である。一例であって決して限定はしないが、所定の符号化されたエネルギーパルス列は、赤外線（ＩｒＤａ）光信号、又は超広帯域（ＵＷＢ）無線信号である。
【０１６４】
所定の信号の送信の周期は、図４ａのステップＳ４０７において開示される基地局ＢＳのタイマの満了時間よりも短いことが好ましい。
【０１６５】
その後、プロセッサ３００はステップＳ５００に戻る。
【０１６６】
ステップＳ５０３において、プロセッサ３００は、無線送信機３０７に対して所定の信号を周期的に転送するのを中止するように命令し、ステップＳ５０４に進む。
【０１６７】
次のステップＳ５０４において、プロセッサ３００は、無線インターフェース３０６に対してステップＳ５００において検出されたセル１５に留まるように命令する。ステップＳ５００において検出されたセル１５が、移動端末ＭＴのトラッキングエリアに属さない新たに検出されたセル１５である場合には、プロセッサ３００は、無線インターフェース３０６を通してトラッキングエリア更新メッセージを転送するように命令し、新たなトラッキングエリアが移動端末ＭＴに割り当てられる肯定応答メッセージを受信する。
【０１６８】
次のステップＳ５０５において、プロセッサ３００は、新たな呼を確立すべきであるか否かを調べる。マンマシンインターフェースからの命令を受けたときには、新たな呼が確立されなければならない。そのような命令は、着呼の発生を反映してサーバ１０から受信される呼出通知メッセージを無線インターフェース３０６を通して受信した後に受信されるか、又は、移動端末ＭＴのユーザが新たな発呼をトリガしようとするときに受信される。
【０１６９】
ステップＳ５０５において、新たな呼を確立すべきである場合には、プロセッサ３００はステップＳ５０６に進む。そうでない場合には、プロセッサ３００はステップＳ５００に戻る。
【０１７０】
ステップＳ５０６において、プロセッサ３００は、無線インターフェース３０６に対して呼確立命令メッセージを送信すると共に、ステップＳ５００において検出されたセル内で新たな呼を確立するように命令する。移動端末ＭＴは稼動モードに入る。
【０１７１】
次のステップＳ５０７において、プロセッサ３００は、ステップＳ５０６又はＳ５１１において開示されるように、呼が経由している基地局ＢＳに隣接するセル１５、及び呼が経由している基地局ＢＳのセル１５に関する測定報告を、無線インターフェース３０６から入手する。
【０１７２】
次のステップＳ５０８において、プロセッサ３００は、移動イベントが発生したか否かを調べる。移動イベントは、ステップＳ５０７において取得した測定報告が、隣接するセル１５の受信信号レベルが、その呼が経由している基地局ＢＳのセル１５の受信信号レベルよりも高くなる又は所定の閾値よりも高くなることを示すときに生じる。或いは、移働イベントは、呼が経由している基地局ＢＳのセル１５の信号レベルが、他の所定の閾値よりも小さくなる場合に生じる。
【０１７３】
ステップＳ５０８において、移動イベントが発生した場合には、プロセッサ３００はステップＳ５０９に進む。そうでない場合には、プロセッサ３００はステップＳ５１０に進む。
【０１７４】
ステップＳ５０９において、プロセッサ３００は、無線インターフェース３０６に対して、その呼が経由している基地局ＢＳに測定報告メッセージを送信するように命令する。測定報告メッセージは、ステップＳ５０７において得られた測定情報、及び／又はステップＳ５０８において検出された移動イベントの識別証明、及び／又はステップＳ５０８において検出された移動イベントに関与するセル１５の識別証明のうちの少なくとも一部を含む。
【０１７５】
次のステップＳ５１０において、プロセッサ３００は、無線インターフェース３０６を通してハンドオーバ命令メッセージが受信されたか否かを調べる。ハンドオーバ命令メッセージは、無線セルラー通信ネットワークの別の基地局ＢＳを通して呼を継続するために、その呼が経由している基地局１５によって発せられる命令を表す。
【０１７６】
ステップＳ５１０において、ハンドオーバ命令メッセージが受信される場合には、プロセッサ３００はステップＳ５１１に進む。そうでない場合には、プロセッサ３００はステップＳ５１２に進む。
【０１７７】
ステップＳ５１１において、プロセッサ３００は、無線インターフェース３０６に対して、ステップＳ５１０において受信したハンドオーバ命令メッセージで指示されるセル１５を管理する基地局ＢＳを通して呼を継続するように命令する。その呼が、ステップＳ５１０において受信したハンドオーバ命令メッセージで指示されるセル１５を管理する基地局ＢＳを経由するようになると、プロセッサ３００はステップＳ５１２に進む。
【０１７８】
ステップＳ５１２において、プロセッサ３００は、その呼を終了すべきであるか否かを調べる。プロセッサ３００がマンマシンインターフェース３０４からの命令を受けたとき、又は呼を搬送する信号の品質が不十分である場合、又は無線インターフェース３０６からその呼を終了すべきであるというメッセージが受信される場合、呼を終了すべきである。
【０１７９】
ステップＳ５１２において、呼を終了すべきである場合には、プロセッサ３００はステップＳ５１３に進む。そうでない場合には、プロセッサ３００はステップＳ５０７に戻る。
【０１８０】
ステップＳ５１３において、プロセッサ３００は、無線インターフェース３０６に対して通信呼を終了するように命令し、ステップＳ５００に進んでアイドルモードに入る。
【０１８１】
当然のことながら、本発明の範囲から逸脱することなく、上記の本発明の実施形態に対して、数多くの変更を加えることができる。
【図１】
2010525699.tif 000003
【図２】
2010525699.tif 000004
【図３】
2010525699.tif 000005
【図４ａ】
2010525699.tif 000006
【図４ｂ】
2010525699.tif 000007
【図５】
2010525699.tif 000008
【国際調査報告】
2010525699.tif 000009
2010525699.tif 000010